(57)【要約】【課題】作業効率の向上を図るとともに、異なる表示原理の特性を活かし、それぞれの用途に最適な表示システムを提供する。【解決手段】選択用表示媒体１にはデータの名称やアイコンなどが表示され、ユーザがデータを選択する。選択用表示媒体１は、動画表示が可能な表示媒体で構成することによって、ユーザの操作性を保証する。また内容表示用表示媒体４には選択用表示媒体１で選択したデータの内容が表示される。内容表示用表示媒体４としてメモリ性を持った表示媒体で構成することによって、表示画像を書き込み時以外の消費電力を節減することともに、取り外しが可能となる。選択用の表示画面と内容表示用の表示画面を別にすることによって、データとその内容とを対応付けながら作業することができ、作業効率を向上させる。【選択図】  図１
2004287076.tif 000002
【特許請求の範囲】
【請求項１】
複数の表示媒体が設けられた表示システムにおいて、少なくともデータの選択に用いる選択用表示媒体と、前記選択用表示媒体で選択されたデータの内容の表示に用いる内容表示用表示媒体を有することを特徴とする表示システム。
【請求項２】
前記選択用表示媒体には、前記データの名称又は前記データのアイコンを表示し、前記内容表示用表示媒体には前記データを開いた画像を表示することを特徴とする請求項１に記載の表示システム。
【請求項３】
複数の表示媒体が設けられた表示システムにおいて、前記複数の表示媒体のうち少なくとも１つの表示媒体は他の表示媒体と表示原理が異なることを特徴とする表示システム。
【請求項４】
前記複数の表示媒体として、メモリ性を持たない表示媒体と、メモリ性を持った表示媒体を有することを特徴とする請求項３に記載の表示システム。
【請求項５】
前記メモリ性を持たない表示媒体は、少なくともデータの選択に用いる選択用表示媒体として用いられ、前記メモリ性を持った表示媒体は、前記選択用表示媒体で選択されたデータの内容の表示に用いられることを特徴とする請求項４に記載の表示システム。
【請求項６】
前記メモリ性を持った表示媒体は、該表示媒体に書き込みを行う書き込み手段に対して着脱可能であることを特徴とする請求項４または請求項５に記載の表示システム。
【請求項７】
前記複数の表示媒体は、見開き状に接続されていることを特徴とする請求項１ないし請求項６のいずれか１項に記載の表示システム。
【請求項８】
前記複数の表示媒体は、折りたたみ可能に接続されていることを特徴とする請求項１ないし請求項７のいずれか１項に記載の表示システム。
【請求項９】
複数の表示媒体が設けられた表示システムを用いた表示方法において、データを選択するための情報を所定の表示媒体に表示する手順と、前記所定の表示媒体に表示された情報に従って前記データの選択を受け付ける手順と、該選択を受け付けたデータの内容を前記所定の表示媒体と異なる表示媒体に表示する手順を有することを特徴とする表示方法。
【請求項１０】
複数の表示媒体が設けられた表示システムを用いてデータを表示する処理をコンピュータに実行させる表示プログラムであって、データを選択するための情報を所定の表示媒体に表示させる機能と、前記所定の表示媒体に表示された情報に従って行われた前記データの選択を受け付ける機能と、該選択を受け付けたデータの内容を前記所定の表示媒体と異なる表示媒体に表示させる機能をコンピュータに実現させることを特徴とする表示プログラム。
【発明の詳細な説明】
【０００１】
【発明の属する技術分野】
本発明は、データを表示閲覧するための表示システムに関するものである。
【０００２】
【従来の技術】
従来より、複数の表示媒体を持った見開き型の文書表示端末が数多く提案されている。例えば特許文献１ないし特許文献３には、左右に表示画面を配置した表示装置が記載されている。また、例えば特許文献４には、より多くの表示媒体を支軸で接続したディスプレイ装置が記載されている。これらの従来の技術では、いずれも文書を閲覧することに主眼をおき、携帯性と表示性能を両立するために２画面で１つの文書を表示したり、一方に拡大表示するなどの工夫がなされている。
【０００３】
しかし、これらの端末で数多くの文書ファイルを閲覧しようとすると、表示画面の面積が限られているために、文書選択と閲覧を同じ画面で切り替えて行わざるを得ない。そのため、現在表示されている文書がどのファイルに対応するのかが把握しにくく、非常に作業性が悪く、また情報の理解に支障をきたしていた。
【０００４】
また、上述の各文献など、従来の表示装置では見開きの表示画面が同じ表示原理の表示媒体で構成されている。例えば見開きの両側ともメモリ性を持たないＬＣＤで構成されていたり、特許文献４では見開きの両側ともメモリ性を持った液晶表示素子で構成されている。
【０００５】
ＬＣＤなどのメモリ性を有しない表示媒体では、比較的高速に表示の更新を行うことができ、動画なども表示可能である。その反面、電源無しでは表示し続けることができず、表示のために電力を消費するという欠点がある。またメモリ性を持った表示媒体では、書き込み時に電力を消費するものの、表示し続けるための電力は不要であり、電源無しで表示媒体を扱うことができる。その反面、表示の更新速度は一般的に遅く、例えばマウスカーソルを移動させるような動画表示にも支障を来す場合もある。
【０００６】
このように、現存する表示媒体には種々の表示原理を用いたものがあり、それぞれの得失がある。しかし従来の表示装置では同じ表示原理の表示媒体を複数設けているため、特定の表示媒体の特性に従った表示しか行われていない。そのため、それぞれの表示原理の特性を活かした表示を行うことができなかった。
【０００７】
【特許文献１】
特開平６−８３７７９号公報
【特許文献２】
特開平５−２４９９３４号公報
【特許文献３】
特開平９−２６５６２号公報
【特許文献４】
特開２０００−２９２７７７号公報
【０００８】
【発明が解決しようとする課題】
本発明は、上述した事情に鑑みてなされたもので、作業効率の向上を図るとともに、異なる表示原理の特性を活かし、それぞれの用途に最適な表示システムと、その表示システムにおける表示方法、表示プログラムを提供することを目的とするものである。
【０００９】
【課題を解決するための手段】
本発明は、複数の表示媒体が設けられた表示システムにおいて、少なくともデータの選択に用いる選択用表示媒体と、選択用表示媒体で選択されたデータの内容の表示に用いる内容表示用表示媒体を有することを特徴とするものである。また本発明は、複数の表示媒体が設けられた表示システムを用いた表示方法及び表示プログラムにおいて、データを選択するための情報を所定の表示媒体に表示させ、所定の表示媒体に表示された情報に従ってデータの選択を受け付け、選択を受け付けたデータの内容を所定の表示媒体と異なる表示媒体に表示させることを特徴とするものである。例えば所定の選択用表示媒体には、データの名称又はデータのアイコンを表示し、所定の選択用表示媒体とは別の内容表示用表示媒体にはデータを開いた画像を表示することができる。
【００１０】
このように、所定の選択用表示媒体において文書の選択を行い、別の表示媒体に文書の内容を表示するので、表示されている文書内容がどの文書に対応するものであるかを容易に把握でき、作業効率を向上させることができる。
【００１１】
また本発明は、複数の表示媒体が設けられた表示システムにおいて、複数の表示媒体のうち少なくとも１つの表示媒体として、他の表示媒体と表示原理が異なる表示媒体により構成することを特徴としている。このように、表示原理が異なる複数の表示媒体で構成することによって、それぞれの表示原理の表示媒体の特質を活かした表示が可能となる。
【００１２】
例えば複数の表示媒体として、メモリ性を持たない表示媒体と、メモリ性を持った表示媒体により構成することができる。これによって動画などの表示を高速に更新する必要がある表示対象についてはメモリ性を持たない表示媒体に表示させ、表示し続ける必要がある表示対象についてはメモリ性を持った表示媒体に表示させるといったように、両者の長所を活かした表示が可能である。具体例としては、上述のように、メモリ性を持たない表示媒体は少なくともデータの選択に用いる選択用表示媒体として用い、メモリ性を持った表示媒体は選択用表示媒体で選択されたデータの内容の表示に用いるように構成することができる。
【００１３】
また、メモリ性を持った表示媒体は、データを書き込んでしまえば電源などは不要であるため、表示媒体に書き込みを行う書き込み手段に対して着脱可能に構成することができる。これによって、文書内容のデータを表示させたまま、取り外して携行することができる。
【００１４】
さらに、複数の表示媒体は見開き状に接続した構成とすることができる。また、折りたたみ可能に接続した構成とすることができる。
【００１５】
【発明の実施の形態】
図１は、本発明の実施の一形態を示す構成図である。図中、１は選択用表示媒体、２はアイコン、３はカーソルキー、４は内容表示用表示媒体、５は頁送りキーである。図１に示す例では、選択用表示媒体１及び内容表示用表示媒体４の２つの表示媒体が設けられている。
【００１６】
選択用表示媒体１には、データの名称やデータを示すアイコンなどが表示され、データを選択することができる。図１に示す例では、データの名称（文書Ａ〜文書Ｈ）とともに、それぞれの文書Ａ〜Ｈを示すアイコン２が表示されている。
【００１７】
データの選択には、例えばカーソルキー３を用いたり、あるいは、ペンなどを用いて行うことができる。もちろん、これらの選択手段に限られるものではなく、種々の既知の選択手段を用いることができ、カーソルキー３を設けずに構成してもよい。
【００１８】
このようなデータの選択操作は、利用者にストレスを感じさせないため、表示の応答速度が速いことが望ましい。例えばペンで入力する場合、ペンの動きに追従したカーソルの動きを表示できる動画表示機能を有していることが望まれる。そのための選択用表示媒体１の構成として、例えば液晶表示媒体や、ＥＬパネルなどの一般に利用されている動画表示に適した表示媒体を適用することができる。
【００１９】
内容表示用表示媒体４には、選択用表示媒体１で選択したデータの内容が表示される。図１に示す例では、選択用表示媒体１で文書Ｂを選択した時の状態を示しており、内容表示用表示媒体４には文書Ｂの内容（「文書Ｂの内容表示」）が表示されている。
【００２０】
内容表示用表示媒体４としては、データの表示に最適な表示原理の表示媒体を用いることができる。例えば一般のオフィス文書やスチル写真画像、グラフィック画像などであれば、ある程度、表示を維持するような利用形態が一般的である。そのため、動画表示を必要としない場合が多く、逆に表示された内容がそのまま保持されていることが望まれる。このような場合、内容表示用表示媒体４としてはメモリ性を持った表示媒体を適用するとよい。例えば、トナーディスプレイ、電気泳動ディスプレイ、光書き込み型電子ペーパーなど、様々な公知のメモリ性を持った表示媒体を適用することができる。これらの表示媒体は、一旦、書き込みを行ってしまえば、表示を維持するための電力の供給は不要であるため、消費電力を節減することができる。携帯型の表示装置においては、節電によって利用時間を伸ばし、あるいは電池の小型化による小型軽量化を図ることが可能である。もちろん、表示するデータが動画であれば、動画に適した表示媒体を内容表示用表示媒体４として利用すればよい。
【００２１】
なお図１に示す例では、選択用表示媒体１において選択されたデータ（文書）が複数頁存在する場合に、内容表示用表示媒体４に表示させる頁を変更するために頁送りキー５を設けている。この頁送りキー５の操作によって、前頁あるいは次頁の内容を表示させることができる。
【００２２】
このように選択用表示媒体１と内容表示用表示媒体４を分離することによって、内容表示用表示媒体４でデータの内容を閲覧できるとともに、その表示されている内容がどのデータのものであるかを選択用表示媒体１で確認することができる。従って、データとその内容の対応を瞬時に把握でき、作業性を向上させることができる。また、従来のようにデータの選択と内容の閲覧を同じ画面で切り替えるといった操作を行わなくてよく、またいちいち表示画面の切り替えを行わなくてもデータの選択や移動・削除といったデータ管理が可能になり、操作性及び作業効率を向上させることができる。
【００２３】
なお、図１に示した例では２つの表示媒体を見開き状に配置した例を示しているが、本発明はこれに限らず、３以上の表示媒体が配置されていてもよい。この時、それぞれの表示媒体は表示原理が一致している必要はなく、それぞれのデータの表示に最適な特性を有する表示原理の表示媒体を適用すればよい。
【００２４】
上述のように、選択用表示媒体１にデータの名称やデータを示すアイコンなど、データを選択するための情報を表示させ、選択用表示媒体１に表示された情報を参照してユーザが行った選択指示を受け付けて、選択を受け付けたデータの内容を内容表示用表示媒体４に表示させる機能は、例えば内蔵のＣＰＵなどのコンピュータによって実行することができる。このとき、上述のような機能を実現するために、表示プログラムを提供することができる。この表示プログラムは、予め内部のメモリに記憶させておくほか、外部より有線あるいは無線の通信路を介して伝送したり、記憶媒体を表示システムに装着することによってインストールされるように構成することができる。
【００２５】
図２は、本発明の実施の一形態における着脱可能な例を示す構成図、図３は、同じく取り外し時の説明図である。図中、６は接続部である。図２に示す例では、選択用表示媒体１と内容表示用表示媒体４とを接続部６で接続した構成例を示している。接続部６は、この例では選択用表示媒体１と内容表示用表示媒体４を電気的に接続するとともに、両者を回動可能に接続しており、回動させることによって折りたためるように構成している。
【００２６】
また、この構成では図３に示すように内容表示用表示媒体４を接続部６において着脱可能に構成している。例えば内容表示用表示媒体４としてメモリ性を持った表示媒体を用いている場合、表示するデータを内容表示用表示媒体４に書き込んで表示させた後、内容表示用表示媒体４を取り外して携行することができる。メモリ性を持った表示媒体であれば取り外した後も無電源で表示はそのまま維持されるので、いつでもデータを参照することができる。
【００２７】
もちろん、内容表示用表示媒体４にバッテリ及びメモリを搭載していれば、内容表示用表示媒体４のみで表示されているデータの更新を行うことも可能である。また、内容表示用表示媒体４がバッテリを搭載していればメモリ性を持たない表示媒体でも表示を維持することは可能であるが、メモリ性を持った表示媒体に比べて格段に表示時間は短い。
【００２８】
内容表示用表示媒体４が着脱可能であることから、例えば内容表示用表示媒体４を複数用意しておき、あるデータをある内容表示用表示媒体４に書き込み、他のデータを他の内容表示用表示媒体４に書き込むといった利用も可能である。
【００２９】
図４は、本発明の実施の一形態において内容表示用表示媒体として光書き込み型フィルムディスプレイを用いた例を示す構成図、図５は、同じく取り外し時の説明図である。図中、７は書込部である。この例では特に、内容表示用表示媒体４として光書き込み型フィルムディスプレイを用いた場合について示している。光書き込み型フィルムディスプレイでは表示させる内容を光によって照射する必要がある。そのため、この例では内容表示用表示媒体４の背面に書込部７を配置している。書込部７としては、例えば発光型ＥＬディスプレイなど、発光型の種々の表示装置を用いることができる。
【００３０】
この書込部７上に内容表示用表示媒体４として用いる光書き込み型フィルムディスプレイを載置し、書き込み用の電圧を印加するために電気的な接続を行う。そして、選択用表示媒体１でデータを選択して書き込みを指示すれば、光書き込み型フィルムディスプレイに電圧が印加されるとともに、書込部７がデータに応じて発光し、光書き込み型フィルムディスプレイにデータの画像が書き込まれる。書き込みは瞬時に終了する。その後は電圧の印加及び発光は不要であり、無電源で表示し続けることができる。そのため、非常に小さな消費電力で駆動することができ、動作時間を伸ばし、あるいはバッテリの小型化による筐体の小型軽量化を図ることができる。もちろん、書込部７の発光パターンを変化させて光書き込み型フィルムディスプレイに書き込み電圧を印加することによって、ページをめくるように表示を随時変化させることも可能である。
【００３１】
また、図５に示すように、内容表示用表示媒体４として用いている光書き込み型フィルムディスプレイはメモリ性を持っているため、書込部７から分離して携行することが可能であり、その場合も表示は無電源でそのまま維持される。また、内容表示用表示媒体４として用いる光書き込み型フィルムディスプレイを複数用意しておき、プリントアウトする感覚で光書き込み型フィルムディスプレイを交換しながら複数ページのデータを順次書き込んでゆくことも可能である。また、同じデータを複数の光書き込み型フィルムディスプレイに書き込むこともできる。
【００３２】
なお、書込部７はそれ自体でも表示機能を有していることから、光書き込み型フィルムディスプレイが載置されていない状態では書込部７を内容表示用表示媒体４として利用することも可能である。この場合、光書き込み型フィルムディスプレイへの書き込み時とデータ内容の参照時とでは表示駆動方法を切り替えるように制御するとよい。
【００３３】
図４，図５に示した例では、図２，図３に示した例と同様に接続部６において選択用表示媒体１と書込部７とを接続部６において回動自在に接続しており、また電気的にも接続している。この構成では内容表示用表示媒体４として用いる光書き込み型フィルムディスプレイが着脱されるので、書込部７については着脱可能に構成する必要はない。もちろん、書込部７が着脱可能に構成されていてもかまわない。また、回動せず、選択用表示媒体１と書込部７が一体化されていてもよい。
【００３４】
上述の説明では、選択用表示媒体１でデータを選択し、選択されたデータの内容が内容表示用表示媒体４に表示されるものとして説明したが、内容表示用表示媒体４に表示される内容は、選択用表示媒体１で直接的に選択されたデータの内容に限られるものではない。例えば条件などを指定して適合したデータの内容を表示したり、ソフトウェアによる処理結果を内容表示用表示媒体４に表示してもよい。
【００３５】
また上述の説明では、具体例として、選択用表示媒体１には動画表示が可能な表示媒体を適用し、内容表示用表示媒体４には表示の更新速度が遅い表示媒体を適用する例を示して説明した。しかしこれに限らず、例えば選択されたデータが動画である場合などのように、内容の表示に動画表示が必要な場合には、内容表示用表示媒体４として動画表示が可能な表示媒体を適用することができる。またこの場合に、データをキーにより選択するだけであれば、表示の更新速度が遅い表示媒体を選択用表示媒体１として用いることができる。例えば映画などのタイトル表示とその映画の参照などの場合がこの例に該当するであろう。また、例えば地図やゲームのステータス表示などを表示の更新速度が遅い表示媒体で行い、拡大図のリアルタイム表示や動画シーンの表示などは動画表示が可能な表示媒体で表示するといった利用方法も考えられる。
【００３６】
さらに上述の説明では、表示原理の異なる表示媒体として、一例としてメモリ性を持った表示速度の遅い表示媒体とメモリ性を持たない動画表示が可能な表示媒体を取り上げているが、これに限らず、種々の異なる表示原理の表示媒体を設けた表示システムにおいて同様である。それぞれの表示原理の特徴を効果的に利用した表示システムを得ることができる。
【００３７】
【発明の効果】
以上の説明から明らかなように、本発明によれば、データの選択画面と内容の閲覧画面とを分離したので、内容とデータとを対応付けて参照することができ、また内容を参照しながら各種の操作を行うことができるので、作業効率を向上させることができる。また本発明では、表示原理の異なる表示媒体を備えているので、それぞれの表示原理の特性を活かした種々の表示が可能となる。例えば内容表示用の表示媒体としてメモリ性を持った表示媒体を用いることによって、着脱が可能になるとともに、消費電力を低減することが可能となる。また、例えば選択用の表示媒体として応答特性の比較的速い表示媒体を用いることによって、ユーザの操作性を維持することができる。本発明によれば、このように種々の効果がある。
【図面の簡単な説明】
【図１】本発明の実施の一形態を示す構成図である。
【図２】本発明の実施の一形態における着脱可能な例を示す構成図である。
【図３】本発明の実施の一形態における着脱可能な例における取り外し時の説明図である。
【図４】本発明の実施の一形態において内容表示用表示媒体として光書き込み型フィルムディスプレイを用いた例を示す構成図である。
【図５】本発明の実施の一形態において内容表示用表示媒体として光書き込み型フィルムディスプレイを用いた例における取り外し時の説明図である。
【符号の説明】
１…選択用表示媒体、２…アイコン、３…カーソルキー、４…内容表示用表示媒体、５…頁送りキー、６…接続部、７…書込部。
【図１】
2004287076.tif 000003
【図２】
2004287076.tif 000004
【図３】
2004287076.tif 000005
【図４】
2004287076.tif 000006
【図５】
2004287076.tif 000007